(57)【要約】【課題】壁厚を厚くすることなく、簡易な構造で、低周波数域を含めた全周波数領域で高い遮音性能を有する壁構造を提供することを課題とする。【解決手段】面型の面板下地材３に面板２が取り付けられ、面板表面側から袖壁４が面板下地材３及び面板２に固定一体化された壁面が、裏面の壁面と離間されて設置されている遮音壁構造１により解決される。また、本遮音壁構造１において、袖壁４間に棚板５及び／又はハンガーパイプが取り付けられているとよい。【選択図】    図１
2008057218.tif 000002
【特許請求の範囲】
【請求項１】
面型の面板下地材に面板が取り付けられ、面板表面側から袖壁を面板下地材及び面板に固定一体化した壁面が、裏面の壁面と離間されていることを特徴とする壁構造。
【請求項２】
桟材の面板下地材に面板が取り付けられ、面板表面側から袖壁を面板下地材及び面板に固定一体化した壁面が、裏面の壁面と離間されていることを特徴とする壁構造。
【請求項３】
面型又は桟材の面板下地材に面板が取り付けられ、面板表面側から袖壁を面板下地材及び面板に固定一体化した壁面どうしがそれぞれ離間されていることを特徴とする間仕切壁構造。
【請求項４】
袖壁間に棚板及び／又はハンガーパイプが取り付けられていることを特徴とする請求項１乃至請求項３に記載の壁構造。
【発明の詳細な説明】
【技術分野】
【０００１】
本発明は、遮音壁の構造に関する。
【背景技術】
【０００２】
従来、建物の壁の遮音性を高めるため、壁の面重量を上げたり、音の伝播を防ぐため表裏それぞれの面材や下地材が接続しないように縁を切るなどの試みがなされている。
【０００３】
遮音性能は質量則によるため、壁の面重量を上げることを目的として、重量のある面材を使用したり複数の面材の重ね貼りなどがされるが、ビスなどの締結具や構造上の問題から限界があり、下地材についても接続しないよう千鳥配置にするなどさまざまな工夫がなされている。
【０００４】
とくに低周波数域での遮音性能を高めるためには、壁の厚みを上げるとともに、内部中空層を設けて空気バネによる連結を低減させることが求められるため、壁構造の剛性を上げる必要がある。
【０００５】
【特許文献１】特開２００５−２８２１３６号公報
【発明の開示】
【発明が解決しようとする課題】
【０００６】
しかしながら、上記の遮音壁の構造では、面材重量を厚くしたり、表裏で縁を切ったりするため、壁厚が増したり、重量のある面材を支持するため下地材に強度が求められるといった問題点があった。
【０００７】
本発明は、上記のような問題点に鑑み、壁厚を厚くすることなく、十分な遮音性能を有する壁構造を提供することを課題とする。
【課題を解決するための手段】
【０００８】
上記の課題において、本発明者は、研究を行った結果、低周波数域での遮音性能を高めるためには、壁構造の剛性をあげることに効果があることを突き止めるとともに、同時に壁重量を増すことで全周波数域での遮音性能の向上を図れることを突き止めるに至った。
【０００９】
本発明は、上記のような解明と解明に基づく思索の積み重ねの結果、産み出されたもので、面型の面板下地材に面板が取り付けられ、面板表面側から袖壁を面板下地材及び面板に固定一体化した壁面が、裏面の壁面と離間されていることを特徴とする壁構造、または、桟材の面板下地材に面板が取り付けられ、面板表面側から袖壁を面板下地材及び面板に固定一体化した壁面が、裏面の壁面と離間されていることを特徴とする壁構造により解決される。
【００１０】
この構造では、壁の面外強度は袖壁により支持されるため、中空層に強度のある下地は必要なく、中空層の厚みを薄くできるため、壁厚を薄くすることができる。また、袖壁により壁構造の剛性が保たれ、低周波数域における遮音性能が向上する。
【００１１】
さらに、下地を介して表裏の壁面を接続することなく離間される完全絶縁構造であるため、下地材を通じた音の伝播もなく、高い遮音性能を発揮することができる。
【００１２】
また、上記の課題は、面型又は桟材の面板下地材に面板が取り付けられ、面板表面側から袖壁を面板下地材及び面板に固定一体化した壁面どうしがそれぞれ離間されていることを特徴とする間仕切壁構造によっても解決される。
【００１３】
間仕切壁構造において、表裏の壁面が離間され完全絶縁状態にされるとともに、袖壁により壁の面外強度が支持されているため、中空層に強度のある下地は必要なく、中空層の厚みを薄くできるため、壁厚を薄くすることができる。また、袖壁により壁構造の剛性が保たれ、低周波数域における遮音性能が向上する。
【００１４】
また、上記の壁構造において、袖壁間に棚板及び／又はハンガーパイプが取り付けられているとよい。
【００１５】
上記の壁構造において、袖壁間に棚板及び／又はハンガーパイプを設けることで、袖壁間のスペースを収納スペースとして有効に活用できるとともに、棚板及び／又はハンガーパイプに物が置かれることで壁全体の重量が付加され、壁構造の遮音性能の向上に貢献する。さらに、棚板及び／又はハンガーパイプに置かれたものが、壁面への音の入射を緩和するため、なお一層、壁構造の遮音性能の向上に貢献する。
【発明の効果】
【００１６】
本発明は以上のとおりであるから、簡易な構造で、低周波数域を含めた全周波数領域で高い遮音性能を有する壁構造を提供することができる。
【発明を実施するための最良の形態】
【００１７】
次に、本発明の実施最良形態を図面に基づいて説明する。
【００１８】
図１に示す本発明の第１実施形態の建物の間仕切り壁の遮音壁構造１において、２は面板としての石こうボード、３は面板下地材としての合板、４は袖壁、５は棚板、６は吸音材、７は面板下地材としての桟木、８は袖壁を面板下地材３に固定するビス、９は袖壁４の面板下地材としての桟木、１０は袖壁４の面板としての石こうボードである。なお、図示しないが石こうボード２、１０の表面には化粧材としてのクロスが貼り付けられている。
【００１９】
図１に示すように、合板３の表面側に石こうボード２が２枚積層されるとともに、袖壁４が表面側から固定され、合板３，石こうボード２，袖壁４が一体化されている。袖壁４は、桟木を枠体に組んだ面板下地材９に石こうボード１０を両面に貼り付けて構成される。
【００２０】
また、図１に示す遮音壁構造１において、棚板５の設置されていない側の壁面は、一般的な壁構造であり下地材としての桟材７に石こうボード２が２枚積層されビスで固定されている。
【００２１】
この壁構造では、壁の面外強度は袖壁により支持されるため、中空層に強度のある下地は必要なく、中空層の厚みを薄くでき、壁厚を薄くすることができる。また、袖壁により壁構造の剛性が保たれ、低周波数域における遮音性能が向上する。
【００２２】
また、下地を介して表裏の壁面を接続することなく離間されている完全絶縁構造であるため、下地材を通じた音の伝播もなく、高い遮音性能を発揮することができる。
【００２３】
この間仕切構造において、表裏の壁面が離間され完全絶縁状態にされるとともに、袖壁により壁の面材強度が支持されているため、袖壁により壁構造の剛性が保たれ、低周波数域における遮音性能が向上するとともに、重量のある面材を使用することで壁面の面重量を上げ、全周波数域での遮音性能を上げることができる。
【００２４】
また、袖壁間に棚板を設けることで、袖壁間のスペースを収納スペースとして有効に活用できるとともに、棚板に物が置かれることで壁全体の重量が付加され、壁構造の遮音性能の向上に貢献する。さらに、棚板置かれたものが、壁に音が入射することを緩和するため、なお一層、壁構造の遮音性能の向上に貢献することとなる。
【００２５】
図２に示す第２実施形態の壁構造は、間仕切り壁構造の両側面が面板下地材としての合板３の表面側に石こうボード２が２枚積層されるとともに、袖壁４が表面側から固定され、合板３，石こうボード２，袖壁４が一体化されている。
【００２６】
図３に示す第３実施形態の壁構造は、間仕切り壁構造の両側面が面板下地材としての桟木７の表面側に石こうボード２が２枚積層されるとともに、袖壁４が表面側から固定され、桟木７，石こうボード２，袖壁４が一体化されている。
【００２７】
第２，第３の実施形態の間仕切り壁構造においても、壁の面外強度は袖壁により支持されるため、中空層に強度のある下地は必要なく、中空層の厚みを薄くでき、壁厚を薄くすることができる。また、袖壁により壁構造の剛性が保たれ、低周波数域における遮音性能が向上する。
【００２８】
また、下地を介して表裏の壁面を接続することなく離間されている完全絶縁構造であるため、下地材を通じた音の伝播もなく、高い遮音性能を発揮することができる。
【００２９】
この間仕切構造において、表裏の壁面が離間され完全絶縁状態にされるとともに、袖壁により壁の面材強度が支持されているため、袖壁により壁構造の剛性が保たれ、低周波数域における遮音性能が向上するとともに、重量のある面材を使用することで壁面の面重量を上げ、全周波数域での遮音性能を上げることができる。
【００３０】
以上に、本発明の実施形態を示したが、本発明はこれに限られるものではなく、発明思想を逸脱しない範囲で各種の変更が可能である。例えば、上記実施形態では、袖壁４間に棚板５を設けた場合を示したが、ハンガーパイプが設けられてもよい。また、袖壁の構成についても、桟木を枠体に組んだ面板下地材に石こうボードを両面に貼り付け構成される例を示したが、これに限らず、密実な袖壁をアングル等で壁面に直接取り付ける構成でもよい。
【００３１】
また、上記実施形態では、建物の内部間仕切りの遮音壁構造について示したが、建物外周の外壁面における壁構造にも適用できることはいうまでもない。要は、壁面を構成する下地を壁面の表面側から袖壁により固定一体化する構造であればよい。
【図面の簡単な説明】
【００３２】
【図１】本発明の第１の実施形態を示す断面平面図である。
【図２】本発明の第２の実施形態を示す断面平面図である。
【図３】本発明の第３の実施形態を示す断面平面図である。
【符号の説明】
【００３３】
１・・・遮音壁構造
２・・・石こうボード（面板）
３・・・合板（面板下地材）
４・・・袖壁
５・・・棚板
６・・・吸音材
７・・・桟木（面材下地材）
８・・・ビス
【図１】
2008057218.tif 000003
【図２】
2008057218.tif 000004
【図３】
2008057218.tif 000005